(57)【特許請求の範囲】
【請求項１】
掃除機用床吸い込み具に回転自在に取着されると共に断面略扁平状のロータと、前記ロータの長手方向に装着され被掃除面の塵埃を掻き上げる清掃体とを備え、前記ロータは、長手方向に溝部を有し、前記清掃体は、ブラシ部と、該ブラシ部が植設又は固定される基部とを有し、前記ロータの溝部に前記清掃体の基部を挿入して固定したことを特徴とする回転ロータ。
【請求項２】
回転ロータの断面において、清掃体の長手方向の中心線Ｌ１が、ロータの回転中心を通らないようにし、且つ前記清掃体の長手方向の中心線Ｌ１と、前記ロータの回転中心と清掃体のブラシ部の根元中心とを結ぶ中心線Ｌ２との交差角度を６０度〜１２０度の範囲に設定したことを特徴とする請求項１に記載の回転ロータ。
【請求項３】
断面略扁平状のロータの回転中心部の肉厚を短径Ｘとし、前記ロータの最大外径を長径Ｙとした場合に、短径Ｘの長径Ｙに対する比率を２分の１以下にしたことを特徴とする請求項１又は２に記載の回転ロータ。
【請求項４】
請求項１〜３のいずれか１項に記載の回転ロータを備えた掃除機用床吸い込み具。
【請求項５】
回転ロータを回転駆動する駆動手段を備えた請求項４に記載の掃除機用床吸い込み具。
【請求項６】
駆動手段で回転ロータを任意の方向に回転できるようにした請求項５に記載の掃除機用床吸い込み具。
【請求項７】
電動送風機と、請求項４〜６のいずれか１項に記載の掃除機用床吸い込み具とを備えた電気掃除機。
【発明の詳細な説明】
【技術分野】
【０００１】
本発明は、被掃除面の塵埃を掻き上げる回転ロータと、その回転ロータを組み込んだ掃除機用床吸い込み具と、その掃除機用床吸い込み具と連結される電気掃除機に関するものである。
【背景技術】
【０００２】
従来の、この種の回転ロータについて、図９，１０を用いて説明する。図９は、従来の回転ロータを回転自在に収納した掃除機用床吸い込み具の上カバーを外した状態の斜視図、図１０は、同掃除機用床吸い込み具の部分断面図及び従来の回転ロータの断面図である。
【０００３】
図９,１０において、従来の回転ロータ１は、断面形状が円形、又は略円形又は、多角形状で、掃除機用床吸い込み具２に回転自在に取着されたロータ３と、ロータ３の外周に螺旋状に設けられると共に被掃除面の塵埃を掻き上げるブラシ或いはブレード状の清掃体４から構成され、ベルト５を介して掃除機用床吸い込み具２に内蔵された電動機などの駆動手段６で回転駆動されるようになっている。
【０００４】
上記構成により、図示しない電気掃除機を運転し、掃除機用床吸い込み具２に内蔵された駆動手段６を運転すると、回転ロータ１が矢印方向に回転し、清掃体４で床などの被掃除面上の塵埃が掻き上げられ、その掻き上げられた塵埃は、掃除機用床吸い込み具２の底面に設けた開口部７より流入し、吸引通路８を経て、電気掃除機に吸引される（例えば、特許文献１、２参照）。
【特許文献１】特開昭６３−２１４２１７号公報
【特許文献２】実願平２−１７０３８号（実開平４−３４８号）のマイクロフイルム
【発明の開示】
【発明が解決しようとする課題】
【０００５】
回転ロータ１を有する掃除機用床吸い込み具２で塵埃を吸引する際、特に紙ごみのようなかさばる塵埃を吸引する際、吸引できる塵埃の大きさは、図１０に示すように、回転ロータ１のロータ３の表面と掃除機用床吸い込み具２の下面に設けた開口部７の開口縁７ａとの間の隙間Ｇの大きさによって決まってしまう。すなわち隙間Ｇより大きな塵埃は吸引されず、清掃体４の回転で、後方にはじき出される。
【０００６】
上記従来の回転ロータ１の構成では、ロータ３の断面形状が円形、若しくは略円形になっているため、ロータ３の表面と開口部７の開口縁７ａとの間の隙間Ｇが小さく、そのため吸引しきれない塵埃が多くなり、電気掃除機で清掃した後に、或いは掃除を行いながら清掃体４ではじき出された大きめの塵埃を手で拾わなければならず、非常に使用勝手が悪いという課題があった。
【０００７】
尚、図１０（ｃ）に示すように、ロータ３の断面形状が略楕円形の場合、略円形のものに比べ、塵埃が弾き飛ばされるとう問題は多少改善されるものの、大幅な改善にはつながらない。
【０００８】
隙間Ｇを大きくするために、開口部７の開口縁７ａを後方に後退させることも可能だが、これでは、開口部７の開口面積が大きくなって、吸引風が開口部７に流入する際の風速が低下し、吸引性能が著しく低下するので、本来の電気掃除機の機能を発揮することができなくなる。
【０００９】
同じく隙間Ｇを大きくするため、ロータ３の外径寸法を小さくし、ロータ３の強度を確保するために金属材料で形成することも考えられるが、ロータ３の外径寸法を小さくする分、清掃体４の突出代を大きくしなければならず、これでは、清掃体４による被掃除面の塵埃の掻き出し性能が落ちてしまい、やはり本来の掃除性能を発揮させることはできない。
【００１０】
本発明は、上記従来の課題を解決するもので、簡単な構成で、掃除性能を低下させることなく、大きな塵埃を吸引させることができる回転ロータと、大きな塵埃を吸引できる掃除機用床吸い込み具と、電気掃除機を提供する事を目的とする。
【課題を解決するための手段】
【００１１】
前記従来の課題を解決するために、本発明の回転ロータは、掃除機用床吸い込み具に回転自在に取着されると共に断面略扁平状のロータと、前記ロータの長手方向に装着され被掃除面の塵埃を掻き上げる清掃体とを備え、前記ロータは、長手方向に溝部を有し、前記清掃体は、ブラシ部と、該ブラシ部が植設又は固定される基部とを有し、前記ロータの溝部に前記清掃体の基部を挿入して固定したことを特徴とするもので、大きな塵埃も容易に吸引させることができ、非常に使用勝手が良く、また、ロータが高速で回転したときに、扁平状のロータで風が吹き付けられ、それにより清掃体で掻き出された塵埃が、効率よく巻き上げられ、優れた掃除性能を発揮することができる。
【００１２】
本発明の掃除機用床吸い込み具は、請求項１〜３のいずれか１項に記載の回転ロータを備えたもので、大きな塵埃も容易に吸引することができ、非常に使用勝手が良く、また、ロータが高速で回転したときに、扁平状のロータで風が吹き付けられ、それにより清掃体で掻き出された塵埃が、効率よく巻き上げられ、優れた掃除性能を発揮することができる。
【００１３】
本発明の電気掃除機は、電動送風機と、請求項４〜６のいずれか１項に記載の掃除機用床吸い込み具とを備えたもので、大きな塵埃も容易に吸引することができ、非常に使用勝手が良く、また、ロータが高速で回転したときに、扁平状のロータで風が吹き付けられ、それにより清掃体で掻き出された塵埃が効率よく巻き上げられ、吸引されるので、優れた掃除性能を有する電気掃除機を提供することができる。
【発明の効果】
【００１４】
本発明の回転ロータ、掃除機用床吸い込み具及び電気掃除機は、大きな塵埃も容易に吸引できるようになり、非常に使用勝手が良く、また、扁平状のロータで吹き付けられる風で塵埃が、効率よく巻き上げられ、優れた清掃性能を発揮することができる。
【発明を実施するための最良の形態】
【００１５】
第１の発明は、掃除機用床吸い込み具に回転自在に取着されると共に断面略扁平状のロータと、前記ロータの長手方向に装着され被掃除面の塵埃を掻き上げる清掃体とを備え、前記ロータは、長手方向に溝部を有し、前記清掃体は、ブラシ部と、該ブラシ部が植設又は固定される基部とを有し、前記ロータの溝部に前記清掃体の基部を挿入して固定したことを特徴とするもので、大きな塵埃も容易に吸引させることができ、非常に使用勝手が良く、また、ロータが高速で回転したときに、扁平状のロータで風が吹き付けられ、それにより清掃体で掻き出された塵埃が、効率よく巻き上げられ、優れた掃除性能を発揮することができる。
【００１６】
第２の発明は、特に、第１の発明の回転ロータの断面において、清掃体の長手方向の中心線Ｌ１が、ロータの回転中心を通らないようにし、且つ前記清掃体の長手方向の中心線Ｌ１と、前記ロータの回転中心と清掃体のブラシ部の根元中心とを結ぶ中心線Ｌ２との交差角度を６０度〜１２０度の範囲に設定したことを特徴とするもので、例えば、清掃体の先端側が前になる方向に、回転ロータを回転させたときに、清掃体の先端で被掃除面の表面を叩きつけるような作用が発生し、被掃除面にこびりついた塵埃も効率よく叩き出すことができるので、掃除性能が向上する。
【００１７】
第３の発明は、特に、第１又は第２の発明の断面略扁平状のロータの回転中心部の肉厚を短径Ｘとし、前記ロータの最大外径を長径Ｙとした場合に、短径Ｘの長径Ｙに対する比率を２分の１以下にしたことを特徴とするもので、ロータの表面と吸い込み口の開口縁との間の隙間を十分に確保するとともに、ロータによる風の吹き付け効果を十分に得ることができる。
【００１８】
第４の発明は、請求項１〜３のいずれか１項に記載の回転ロータを備えた掃除機用床吸い込み具としたもので、大きな塵埃も容易に吸引することができ、非常に使用勝手が良く、また、ロータが高速で回転したときに、扁平状のロータで風が吹き付けられ、それにより清掃体で掻き出された塵埃が、効率よく巻き上げられ、優れた掃除性能を発揮することができる。
【００１９】
第５の発明は、特に、第４の発明の回転ロータを回転駆動する駆動手段を備えたもので、被掃除面にこびりついた塵埃も確実に清掃体で叩き出すことができ、又、被掃除面が絨毯であっても掃除性能が劣化することが無い。
【００２０】
第６の発明は、特に、第５の発明の駆動手段で回転ロータを任意の方向に回転できるようにしたもので、例えば、清掃体の先端側が前になる方向に回転ロータを回転させると、清掃体の先端で被掃除面の表面を叩きつけて被掃除面にこびりついた塵埃を効率よく叩き出すことができ、又、回転ロータを逆方向に回転させると、清掃体が被掃除面を撫でるように作用するので、木床などの被掃除面を効率よく磨くことができる。
【００２１】
第７の発明は、電動送風機と、請求項４〜６のいずれか１項に記載の掃除機用床吸い込み具とを備えたもので、大きな塵埃も容易に吸引することができ、非常に使用勝手が良く、また、ロータが高速で回転したときに、扁平状のロータで風が吹き付けられ、それにより清掃体で掻き出された塵埃が効率よく巻き上げられ、吸引されるので、優れた掃除性能を有する電気掃除機を提供することができる。
【００２２】
以下、本発明の実施例を、図面を参照しながら説明する。なお、下記実施例で本発明が限定されるものではない。
【実施例１】
【００２３】
図１は、本発明の実施例１における回転ロータを組み込んだ掃除機用床吸い込み具の一部破断斜視図である。
【００２４】
図１において、掃除機用床吸い込み具１０（以下「床吸い込み具１０」という）の外郭１１は、上ケース１２と、下面に吸い込み口１３を有する下ケース１４からなり、外周に、掃除の際に家具などへの傷付を防止するためのバンパー１５が設けられ、前部に、回転ロータ１６を回転自在に収納すると共に吸い込み口１３と連通する回転ロータ室１７が配されている。又、床吸い込み具１０の後部には、延長管（図示せず）などを介して、電気掃除機（図示せず）に連通接続される接続管１８が傾動自在に取着されている。
【００２５】
２０は、下ケース１４の底面の前部、後部にそれぞれ一対ずつ設けられた走行用ローラーで、床吸い込み具１０を木床などの被掃除面に置いたとき、その被掃除面と下ケース１４の底面との間に所定の隙間を確保して、電気掃除機による吸引力で、床吸い込み具１０の底部が被掃除面に密着して操作性が悪くなることの無いようにするものである。
【００２６】
２１は、床吸い込み具１０の略中央でかつ回転ロータ１６の後方に位置し、回転ロータ室１７と接続管１８とを連通する吸引口である。２２は、ベルト２３を介して回転ロータ１６を回転駆動する駆動手段となる電動機である。
【００２７】
次に、本実施例における回転ロータ１６の詳細な構成について、図２〜４を用いて説明する。図２は、本実施例における回転ロータ１６の斜視図、図３は、回転ロータ１６の側面図、図４は、回転ロータ１６の清掃体の斜視図である。
【００２８】
図２〜４において、回転ロータ１６は、アルミニウムなどの金属材料からなり螺旋状に捩られると共に、断面略扁平状に形成されたロータ３０と、ロータ３０の長手方向に設けた溝部３１に一端が装着されると共に被掃除面の塵埃を掻き上げる清掃体３２と、ロータ３０の一端に圧入されると共にベルト２３の一端が張架されるプーリー付軸受けホルダー３３と、ロータ３０の他端に圧入される軸受けホルダー３４から構成されている。３５は、プーリー付軸受けホルダー３３及び軸受けホルダー３４のそれぞれを回転自在に支持すると共に、吸い込み具１０の内壁３５に保持される軸受けである。
【００２９】
清掃体３２は、複数の繊維などからなるブラシ部３２ａと、ブラシ部３２ａが植設又は固定されると共に、ロータ３０に設けた溝部３１に挿入、固定される基部３２ｂから構成されている。尚、ブラシ部３２ａは、複数の繊維などに限らず、軟質材からなるブレード状のもので形成しても良い。
【００３０】
又、ロータ３０に清掃体３２を装着したとき、清掃体３２の長手方向の中心線Ｌ１が、ロータ３０の回転中心３６を通らないようにしている。本実施例では、清掃体３２の長手方向の中心線Ｌ１と、ロータ３０の中心とブラシ部３２ａの根元中心を結ぶ中心線Ｌ２が略直交するように配置している。
【００３１】
次に、ロータ３０の製造、加工方法についていくつか述べる。
第１の方法は、捩り押出し金型にて、ロータ３０の材料を捩りながら押出すもので、１工程で目的の捩り角度に仕上げることができる。ただ、反り、うねりが生じやすく精度が確保しにくく、また、捩り角度が大きくなるほどこの傾向が顕著になるという難点があり、捩り角度は、３６０度程度が限界で、それ以上は実用上製品にならない。
【００３２】
第２の方法は、ロータ３０の材料を金型で捩りながら押出して、一旦目的の捩り角度より小さな角度のロータ３０を作り、このロータ３０を後加工にて、目的の捩り角度まで捩って仕上げるもので、後加工が最小限に抑えられるので、断面形状の歪も少なく、精度のよいロータ３０を製造することができる。唯一の欠点は、工程が２段階になることである。
【００３３】
第３の方法は、ロータ３０の材料をまっすぐに押出して、後加工で、目的の捩り角度まで捩って仕上げるもので、１工程（直線押出し）による製品素材の精度が非常に高く、これを元に後加工で捩るため、捩りによる歪が小さく精度のよいロータ３０を製造することができる。また、後捩り加工により、同一金型でも自由にロータ３０の捩り角度を設定することができる。欠点としては、中空素材や、大径の素材は捩り加工による断面変形が生じやすく、あまり大きな捩り角度には向かない。
【００３４】
第４の方法は、同一ライン上に捩り方向に回転する可動盤等の設備を設けて、金型で、ロータ３０の材料を押出しながら、同時に捩り加工も行い、目的の捩り角度に仕上げる製法で、捩り工程を別に設ける必要が無く、また、可動盤の回転速度で自由に捩り角度が設定できるというメリットがあるが、設備が複雑になるという欠点がある。
【００３５】
したがって、ロータ３０の製造にあたっては、ロータ３０の断面形状、材質、厚み、強度、捩り角度、必要な精度等を勘案し、製造方法、加工方法を適宜決定するようにすると良い。また、押出し加工によるロータ３０の代表的な製造方法を上記したが、本発明のロータ３０は特に、断面が略扁平状に形成されているため押出しバランスも崩れ易く、押出し時にうねりを生じる場合がある。よって、製品の直進度を確保するために、押出し後に延伸加工を施してもよいものである。
【００３６】
次に、上記構成による回転ロータ３０と、それを組み込んだ床吸い込み具１０の、動作、作用について説明する。
【００３７】
図５において、図示しない電気掃除機並びに床吸い込み具１０の電動機２２の運転を開始すると、回転ロータ１６が、矢印方向に回転する（正転）。このとき、清掃体３２の長手方向の中心線Ｌ１と、ロータ３０の中心とブラシ部３２ａの根元中心を結ぶ中心線Ｌ２が略直交するように配置しているので、回転ロータ１６が回転すると、清掃体３２の先端で被掃除面の表面を叩きつけるように作用し、その結果、被掃除面に付着した塵埃が効率よくたたき出され、電気掃除機によって作用する吸引力により、床吸い込み具１０の底部に設けた吸い込み口１３から流入し、吸引口２１、接続管１８を経て、電気掃除機に吸引される。
【００３８】
図６（ａ）は、本実施例の床吸い込み具１０で、大きな塵埃を吸引する様子を示す部分断面図である。
従来の回転ロータ１の場合は、図１０に示すように、その断面形状が略円形になっているので、ロータ３の表面と開口部７の開口縁７ａとの間の隙間Ｇは、非常に狭いが、本実施例では、ロータ３０の回転位置が、特に、図６（ａ）の位置にあるとき、ロータ３０の表面と吸い込み口１３の開口縁１３ａとの間の隙間Ｇ１が最大になると共に、従来の隙間Ｇよりはるかに大きくなるため、その分、大きな塵埃を容易に吸い込み口１３から吸引することが出来、掃除性能が飛躍的に向上し、使用勝手も飛躍的に向上するものである。
【００３９】
なお、図６（ｂ）は、回転ロータ１６を、矢印方向、すなわち、逆方向に回転させた場合の例を示すもので、具体的には、図示しないスイッチを操作することにより、電動機２２を逆回転させて、回転ロータ１６を逆回転させるようにすれば、同図に示すように、清掃体３２が被掃除面を撫でるように作用するので、特に被掃除面が、木床などの場合、磨き効果が大きく、回転ロータ１６を正転させて通常の清掃を行った後、逆転させて、床磨きを行うこともできる。
【００４０】
以上のように、本実施例によれば、ロータ３０の断面形状が略扁平状になっているので、このロータ３０を床吸い込み具１０に組み込むと、大きな塵埃も容易に吸引させることができ、非常に使用勝手が良いものである。また、ロータ３０の断面形状が略扁平状になっているので、それが高速で回転したときに、団扇で風を扇ぐような作用が働き、それにより清掃体３２で掻き出された塵埃が、効率よく巻き上げられることになり、電気掃除機の吸引力が多少低下しても、十分な掃除性能を発揮することができるものである。
【００４１】
本実施例において、ロータ３０の断面形状は略扁平状として説明しているが、ロータ３０の表面と吸い込み口１３の開口縁１３ａとの間の隙間Ｇ１を十分に確保するとともに、ロータ３０による風の吹き付け効果を十分に得るためには、図３に示すように、ロータ３０の断面形状における扁平率即ち、回転中心部の肉厚を短径Ｘとし、最大外径を長径Ｙとした場合、短径Ｘの長径Ｙに対する比率は２分の１以下が好ましい。
又、ロータ３０は、図１１に示すように、その断面が略Ｓ字状に形成されていても良い。
【００４２】
又、清掃体３２の長手方向の中心線Ｌ１が、ロータ３０の回転中心３６を通らないようにしているので、例えば、清掃体３２のブラシ部３２ａの先端側が前になる方向に、回転ロータ１６を回転させたときに、ブラシ部３２ａの先端で被掃除面の表面を叩きつけるような作用が発生し、被掃除面にこびりついた塵埃も効率よく叩き出すことができるので、掃除性能が向上する。
【００４３】
又、ロータ３０を金属材料で形成するようにしたので、ロータ３０の断面が扁平状に形成されていても、十分な強度が確保され、床吸い込み具１０に組み込まれて高速で回転しても、何ら支障なく、使用できる。
【００４４】
又、回転ロータ１６を、電動機２２で回転させるようにしているので、被掃除面にこびりついた塵埃を確実に叩き出すことができ、又、被掃除面が絨毯であっても掃除性能が劣化することが無い。
【００４５】
なお、上記実施例では、清掃体３２の長手方向の中心線Ｌ１とロータ３０の中心とブラシ部３２ａの根元中心を結ぶ中心線Ｌ２とが略直交するようにしたが、図７に示すように、中心線Ｌ１とＬ２との交差角度Ａを、例えば１２０度ぐらいにしても良い。このようにすれば、清掃体３０の先端が、被掃除面にソフトに当たるようになり、被掃除面が、マットなど軟質材料から形成されている場合、その被掃除面に傷がつき難くなる。
【００４６】
尚、交差角度Ａがあまり大きすぎると、清掃体３２の回転半径が大きくなり、結果的に床吸い込み具１０の大型化になり好ましくない。又、交差角度Ａが６０度より小さくなると、清掃体３２の先端を被掃除面でこそぐような作用が働き、清掃体３２の寿命を著しく低下させる。従って交差角度は、６０〜１２０度が望ましい。
【００４７】
尚、上記実施例では、回転ロータ１６を駆動する駆動手段として、電動機２２を用いたが、電動機２２を用いる代わりに、回転ロータ１６を吸引風で回転させるようにしても良い。具体的には、特に図示しないが、床吸い込み具１０の外郭１１の一部に、外部と回転ロータ室１７とを連通する孔を設け、その孔から流入する高速の空気を、ロータ３０の一部に設けた羽根車あるいは、ロータ３０に直接当てて、回転トルクを発生させて、回転ロータ１６を回転させるようにしても良い。
【実施例２】
【００４８】
図８は、本発明の実施例２における電気掃除機の全体構成を示す図である。尚、上記第１の実施例と同一部分について、同一符号を付してその説明を省略する。
【００４９】
図８において、本実施例の電気掃除機４０は、前部に塵埃を捕集する集塵室４１と、後部に電動送風機４２を内蔵した電動送風機室４３をそれぞれ備えた掃除機本体４４と、前記集塵室４１に連通するように一端が掃除機本体４４に接続されるホース４５と、ホース４５の他端に設けられたハンドルパイプ４６に一端が着脱自在に接続される延長管４７とを備え、前記延長管４７の他端に、上記第１の実施例における電気掃除機用床吸い込み具１０が接続される。ハンドルパイプ４６には、掃除機本体４４に運転を操作する本体スイッチ４６ａと、床吸い込み具１０に内蔵された電動機２２の運転を操作する吸い込み具スイッチ４６ｂが設けられている。
【００５０】
上記構成による電気掃除機の動作、作用は以下の通りである。
掃除機本体４４内に収納された電源コード（図示せず）を引き出し、そのプラグ（図示せず）を室内のコンセントに差し込んで、ハンドルパイプ４６に設けた本体スイッチ４６ａ、吸い込み具スイッチ４６ｂを操作すると、電動送風機４２及び床吸い込み具１０の電動機２２の運転が開始し、それに伴い、吸い込み具１０の底部に設けた吸い込み口１３から、清掃体３２で掻き出された被掃除面上の塵埃が外気と共に吸引され、延長管４７、ハンドルパイプ４６、ホース４５を経て集塵室４１に至り、そこで吸引風に含まれた塵埃が捕集され、きれいになった空気が掃除機本体４４の後部に設けた排気口（図示せず）から排気される。
【００５１】
本実施例によれば、吸い込み具１０に組み込まれたロータ３０の断面形状が略扁平状になっているので、大きな塵埃も容易に吸引することが出来、従来のように、掃除開始に当たり、或いは、電気掃除機を使用しながら、被掃除面上の紙くずなどの大きな塵埃を拾う必要が無く、極めて使用勝手のよい電気掃除機を提供することができる。
【００５２】
また、ロータ３０の断面形状が略扁平状になっているので、それが高速で回転したときに、ロータ３０が風を巻き起こし、それによりロータ３０の清掃体３２で掻き出された塵埃が、効率よく巻き上げられるので、集塵室４１内に塵埃が堆積し、吸引力が多少低下しても、十分な掃除性能を発揮することができるものである。
【産業上の利用可能性】
【００５３】
以上のように、本発明にかかる回転ロータ、掃除機用床吸い込み具及び電気掃除機は、大きな塵埃を容易に巻き込んで吸引できるので、掃除性能に優れ、使用勝手が良いもので、各種電気掃除機に使うことができる。
【図面の簡単な説明】
【００５４】
【図１】本発明の第１の実施例における回転ロータを組み込んだ掃除機用床吸い込み具の一部破断斜視図
【図２】同回転ロータの斜視図
【図３】同回転ロータの側面図
【図４】同回転ロータの清掃体の斜視図
【図５】同掃除機用床吸い込み具の要部断面図
【図６】（ａ）同掃除機用床吸い込み具の要部断面図（回転ロータを正転させたとき）、（ｂ）同掃除機用床吸い込み具の要部断面図（回転ロータを逆転させたとき）
【図７】同掃除機用床吸い込み具の回転ロータの他の例を示す部分断面図
【図８】本発明の電気掃除機の全体構成を示す図
【図９】従来の回転ロータを収納した掃除機用床吸い込み具の上カバーを外した状態の斜視図
【図１０】（ａ）同掃除機用床吸い込み具の部分断面図、（ｂ）従来の回転ロータの他の例を示す断面図、（ｃ）従来の回転ロータの他の例を示す断面図
【図１１】図３の他の実施例を示す回転ロータの側面図
【符号の説明】
【００５５】
１０    掃除機用床吸い込み具（床吸い込み具）  
１３    吸い込み口
１６    回転ロータ
２２    駆動手段
３０    ロータ
３２    清掃体
３２ａ  ブラシ部
３２ｂ  基部
４０    電気掃除機
４１    集塵室
４２    電動送風機
４４    掃除機本体
【図１】
0004815213.tif 000002
【図２】
0004815213.tif 000003
【図３】
0004815213.tif 000004
【図４】
0004815213.tif 000005
【図５】
0004815213.tif 000006
【図６】
0004815213.tif 000007
【図７】
0004815213.tif 000008
【図８】
0004815213.tif 000009
【図９】
0004815213.tif 000010
【図１０】
0004815213.tif 000011
【図１１】
0004815213.tif 000012